【手続補正書】
【提出日】平成16年1月14日(2004.1.14)
【手続補正１】
【補正対象書類名】明細書
【補正対象項目名】特許請求の範囲
【補正方法】変更
【補正の内容】
【特許請求の範囲】
【請求項１】
記録材を収納する給紙収納手段と、
前記給紙収納手段の収納された記録紙を送り出す給紙手段と、
前記給紙手段により送り出された記録材の片面に画像を形成する画像形成手段と、
前記画像形成手段によって画像形成された記録材が排出される排出手段と、
前記画像形成装置本体外に少なくとも一部が突出し、記録材が載置される外部収納手段と、
前記外部収納手段上に載置された記録材を送り出す外部給紙手段と、
前記給紙収納手段から、前記画像形成手段を介して、前記排出手段まで、記録材が搬送される第１搬送路と、
前記画像形成手段より記録材の搬送方向下流側で前記第１搬送路を搬送されている記録紙を、前記画像形成手段より前記搬送方向上流側の前記第１搬送路まで、前記画像形成手段によって画像形成された記録材が搬送される第２搬送路と、を有した画像形成装置において、
前記外部給紙手段により送り出される記録材が搬送される第３搬送路は、前記第２搬送路を横切って、前記画像形成手段より前記搬送方向上流側で前記第１搬送路に合流することを特徴とする画像形成装置。
【請求項２】
前記第２搬送路は、前記第２搬送路の途上に、搬送される記録材の搬送方向を逆転するための反転路を有し、前記反転路の少なくとも一部は、前記画像形成装置の本体底壁と前記給紙収納手段との間に設けられていることを特徴とする請求項１に記載の画像形成装置。
【請求項３】
記録材を収納する給紙収納手段と、
前記給紙収納手段の収納された記録紙を送り出す給紙手段と、
前記給紙手段により送り出された記録材の片面に画像を形成する画像形成手段と、
前記画像形成手段によって画像形成された記録材が排出される排出手段と、
前記給紙収納手段から、前記画像形成手段を介して、前記排出手段まで、記録材が搬送される第１搬送路と、
前記画像形成手段より記録材の搬送方向下流側で前記第１搬送路を搬送されている記録紙を、前記画像形成手段より前記搬送方向上流側の前記第１搬送路まで、前記画像形成手段によって画像形成された記録材が搬送される第２搬送路と、を有した画像形成装置において、
前記画像形成装置は、前記画像形成装置本体の下方に、記録紙を収納する付加収納手段を有した付加給紙装置を設けることが可能であって、前記第２搬送路を搬送されている記録材を、前記付加給紙装置へと導くための開口を有したことを特徴とする画像形成装置。
【請求項４】
記録材を収納する給紙収納手段と、
前記給紙収納手段の収納された記録紙を送り出す給紙手段と、
前記給紙手段により送り出された記録材の片面に画像を形成する画像形成手段と、
前記画像形成手段によって画像形成された記録材が排出される排出手段と、
前記給紙収納手段から、前記画像形成手段を介して、前記排出手段まで、記録材が搬送される第１搬送路と、
前記画像形成手段より記録材の搬送方向下流側で前記第１搬送路を搬送されている記録紙を、前記画像形成手段より前記搬送方向上流側の前記第１搬送路まで、前記画像形成手段によって画像形成された記録材が搬送される第２搬送路と、を有した画像形成装置において、
前記画像形成装置は、前記画像形成装置本体の下方に、記録紙を収納する付加収納手段を有した付加給紙装置を設けることが可能であって、
前記第２搬送路の一部は、前記給紙台が設けられた場合と、設けられなかった場合とで、異なることを特徴とする画像形成装置。
【請求項５】
記録材を収納する給紙収納手段と、前記給紙収納手段の収納された記録紙を送り出す給紙手段と、前記給紙手段により送り出された記録材の片面に画像を形成する画像形成手段と、前記画像形成手段によって画像形成された記録材に、前記画像形成手段によって再度画像形成を行うことが可能な画像形成装置本体の下方に、設けられるとともに、記録紙を収納する付加収納手段を有した画像形成装置の付加給紙装置において、
前記画像形成装置本体の底壁に設けられた開口部を介して、画像形成された記録材を受け取り、搬送される記録材の搬送方向を逆転するための反転路の少なくとも一部は、前記付加給紙装置の底壁と前記付加収納手段との間に設けられていることを特徴とする画像形成装置の付加給紙装置。
【請求項６】
記録材を収納する給紙収納手段と、前記給紙収納手段の収納された記録紙を送り出す給紙手段と、前記給紙手段により送り出された記録材の片面に画像を形成する画像形成手段と、前記画像形成手段によって画像形成された記録材が排出される排出手段と、前記給紙収納手段から、前記画像形成手段を介して、前記排出手段まで、記録材が搬送される第１搬送路と、前記画像形成手段より記録材の搬送方向下流側で前記第１搬送路を搬送されている記録紙を、前記画像形成手段より前記搬送方向上流側の前記第１搬送路まで、前記画像形成手段によって画像形成された記録材が搬送される第２搬送路と、を有した画像形成装置本体の下方に、設けられるとともに、記録紙を収納する付加収納手段を有した画像形成装置の付加給紙装置において、
前記付加収納手段から、前記画像形成手段より前記搬送方向上流側の前記第１搬送路まで、記録材が搬送される第４搬送路と、前記第２搬送路を搬送されている記録材の搬送方向を逆転するための反転路の少なくとも一部と、を有したことを特徴とする画像形成装置の付加給紙装置。
【請求項７】
記録材を収納する給紙収納手段と、
前記給紙収納手段の収納された記録紙を送り出す給紙手段と、
前記給紙収納手段の上方に配置され、前記給紙手段により送り出された記録材の片面に、画像形成位置で、画像を形成する画像形成手段と、
前記画像形成手段によって画像形成された記録材が排出される排出手段と、
前記給紙収納手段から、前記画像形成手段を介して、前記排出手段まで、記録材が搬送される第１搬送路と、
前記画像形成手段より記録材の搬送方向下流側で前記第１搬送路を搬送されている記録紙を、前記画像形成位置と前記画像形成装置本体の一側壁との間を通して、前記画像形成手段より前記搬送方向上流側の前記第１搬送路まで、前記画像形成手段によって画像形成された記録材が搬送される第２搬送路と、
前記画像形成装置本体外に少なくとも一部が突出し、記録材が載置される外部収納手段と、
前記外部収納手段上に載置された記録材を送り出す外部給紙手段と、を有した画像形成装置において、
前記第２搬送路を搬送される記録材の面と平行であって記録材の搬送方向とは直交する方向からみたときに、前記第２搬送路の一部は、前記画像形成位置より下方にて、前記一側壁とは反対側に凹んでいる部分があり、前記凹んでいる部分に、前記外部給紙手段を配置したことを特徴とする画像形成装置。
【手続補正２】
【補正対象書類名】明細書
【補正対象項目名】００１１
【補正方法】変更
【補正の内容】
【００１１】
【課題を解決するための手段】
本発明の目的は、下記の構成要件により達成できる。
（１）  記録材を収納する給紙収納手段と、前記給紙収納手段の収納された記録紙を送り出す給紙手段と、前記給紙手段により送り出された記録材の片面に画像を形成する画像形成手段と、前記画像形成手段によって画像形成された記録材が排出される排出手段と、前記画像形成装置本体外に少なくとも一部が突出し、記録材が載置される外部収納手段と、前記外部収納手段上に載置された記録材を送り出す外部給紙手段と、前記給紙収納手段から、前記画像形成手段を介して、前記排出手段まで、記録材が搬送される第１搬送路と、前記画像形成手段より記録材の搬送方向下流側で前記第１搬送路を搬送されている記録紙を、前記画像形成手段より前記搬送方向上流側の前記第１搬送路まで、前記画像形成手段によって画像形成された記録材が搬送される第２搬送路と、を有した画像形成装置において、前記外部給紙手段により送り出される記録材が搬送される第３搬送路は、前記第２搬送路を横切って、前記画像形成手段より前記搬送方向上流側で前記第１搬送路に合流することを特徴とする画像形成装置。
（２）  前記第２搬送路は、前記第２搬送路の途上に、搬送される記録材の搬送方向を逆転するための反転路を有し、前記反転路の少なくとも一部は、前記画像形成装置の本体底壁と前記給紙収納手段との間に設けられていることを特徴とする（１）に記載の画像形成装置。
（３）  記録材を収納する給紙収納手段と、前記給紙収納手段の収納された記録紙を送り出す給紙手段と、前記給紙手段により送り出された記録材の片面に画像を形成する画像形成手段と、前記画像形成手段によって画像形成された記録材が排出される排出手段と、前記給紙収納手段から、前記画像形成手段を介して、前記排出手段まで、記録材が搬送される第１搬送路と、前記画像形成手段より記録材の搬送方向下流側で前記第１搬送路を搬送されている記録紙を、前記画像形成手段より前記搬送方向上流側の前記第１搬送路まで、前記画像形成手段によって画像形成された記録材が搬送される第２搬送路と、を有した画像形成装置において、前記画像形成装置は、前記画像形成装置本体の下方に、記録紙を収納する付加収納手段を有した付加給紙装置を設けることが可能であって、前記第２搬送路を搬送されている記録材を、前記付加給紙装置へと導くための開口を有したことを特徴とする画像形成装置。
（４）  記録材を収納する給紙収納手段と、前記給紙収納手段の収納された記録紙を送り出す給紙手段と、前記給紙手段により送り出された記録材の片面に画像を形成する画像形成手段と、前記画像形成手段によって画像形成された記録材が排出される排出手段と、前記給紙収納手段から、前記画像形成手段を介して、前記排出手段まで、記録材が搬送される第１搬送路と、前記画像形成手段より記録材の搬送方向下流側で前記第１搬送路を搬送されている記録紙を、前記画像形成手段より前記搬送方向上流側の前記第１搬送路まで、前記画像形成手段によって画像形成された記録材が搬送される第２搬送路と、を有した画像形成装置において、前記画像形成装置は、前記画像形成装置本体の下方に、記録紙を収納する付加収納手段を有した付加給紙装置を設けることが可能であって、前記第２搬送路の一部は、前記給紙台が設けられた場合と、設けられなかった場合とで、異なることを特徴とする画像形成装置。
（５）  記録材を収納する給紙収納手段と、前記給紙収納手段の収納された記録紙を送り出す給紙手段と、前記給紙手段により送り出された記録材の片面に画像を形成する画像形成手段と、前記画像形成手段によって画像形成された記録材に、前記画像形成手段によって再度画像形成を行うことが可能な画像形成装置本体の下方に、設けられるとともに、記録紙を収納する付加収納手段を有した画像形成装置の付加給紙装置において、前記画像形成装置本体の底壁に設けられた開口部を介して、画像形成された記録材を受け取り、搬送される記録材の搬送方向を逆転するための反転路の少なくとも一部は、前記付加給紙装置の底壁と前記付加収納手段との間に設けられていることを特徴とする画像形成装置の付加給紙装置。
（６）  記録材を収納する給紙収納手段と、前記給紙収納手段の収納された記録紙を送り出す給紙手段と、前記給紙手段により送り出された記録材の片面に画像を形成する画像形成手段と、前記画像形成手段によって画像形成された記録材が排出される排出手段と、前記給紙収納手段から、前記画像形成手段を介して、前記排出手段まで、記録材が搬送される第１搬送路と、前記画像形成手段より記録材の搬送方向下流側で前記第１搬送路を搬送されている記録紙を、前記画像形成手段より前記搬送方向上流側の前記第１搬送路まで、前記画像形成手段によって画像形成された記録材が搬送される第２搬送路と、を有した画像形成装置本体の下方に、設けられるとともに、記録紙を収納する付加収納手段を有した画像形成装置の付加給紙装置において、前記付加収納手段から、前記画像形成手段より前記搬送方向上流側の前記第１搬送路まで、記録材が搬送される第４搬送路と、前記第２搬送路を搬送されている記録材の搬送方向を逆転するための反転路の少なくとも一部と、を有したことを特徴とする画像形成装置の付加給紙装置。
（７）  記録材を収納する給紙収納手段と、前記給紙収納手段の収納された記録紙を送り出す給紙手段と、前記給紙収納手段の上方に配置され、前記給紙手段により送り出された記録材の片面に、画像形成位置で、画像を形成する画像形成手段と、前記画像形成手段によって画像形成された記録材が排出される排出手段と、前記給紙収納手段から、前記画像形成手段を介して、前記排出手段まで、記録材が搬送される第１搬送路と、前記画像形成手段より記録材の搬送方向下流側で前記第１搬送路を搬送されている記録紙を、前記画像形成位置と前記画像形成装置本体の一側壁との間を通して、前記画像形成手段より前記搬送方向上流側の前記第１搬送路まで、前記画像形成手段によって画像形成された記録材が搬送される第２搬送路と、前記画像形成装置本体外に少なくとも一部が突出し、記録材が載置される外部収納手段と、前記外部収納手段上に載置された記録材を送り出す外部給紙手段と、を有した画像形成装置において、前記第２搬送路を搬送される記録材の面と平行であって記録材の搬送方向とは直交する方向からみたときに、前記第２搬送路の一部は、前記画像形成位置より下方にて、前記一側壁とは反対側に凹んでいる部分があり、前記凹んでいる部分に、前記外部給紙手段を配置したことを特徴とする画像形成装置。